(57)【要約】【課題】斬新な見栄えの車両用指針計器を新規に提供する。【解決手段】目盛り板４０の表面側にて目盛り板４０の周囲を囲う導光板８０を備え、導光板８０の外周面８０ｂに凹溝８１〜８４を形成する。凹溝８１〜８４は、光源７０から導光板８０内部に入射した入射光を目盛り板４０および指針５０に向けて反射する第１反射面８１ａ〜８４ａと、導光板８０の内周面８０ｃに向けて尖る頂部８１ｂ〜８４ｂとを有する形状に形成される。また、頂部８１ｂ〜８４ｂが目盛り板４０の周囲を囲う環状となるように、凹溝８１〜８４を形成する。これにより、第１反射面８１ａ〜８４ａの反射光で直接照明される目盛り板４０および指針５０に加え、導光板８０への入射光が頂部８１ｂ〜８４ｂで乱反射することにより、頂部８１ｂ〜８４ｂが光って見える。そして、頂部８１ｂ〜８４ｂは目盛り板４０の表面側にて目盛り板４０の周囲に浮かんで見える。【選択図】        図２
2005009875.tif 000002
【特許請求の範囲】
【請求項１】
目盛り部（４１）を有する目盛り板（４０）と、
回動して前記目盛り部（４１）を指し示す指針（５０）と、
前記目盛り板（４０）および前記指針（５０）を表面側から直接照明する光源（７０）と、
前記目盛り板（４０）の表面側に配置され、前記目盛り板（４０）の周囲を囲う導光板（８０）とを備え、
前記導光板（８０）の外周面（８０ｂ）には凹溝（８１、８２、８３、８４）が形成され、
前記凹溝（８１、８２、８３、８４）は、前記光源（７０）から前記導光板（８０）内部に入射した入射光を前記目盛り板（４０）および前記指針（５０）に向けて反射する第１反射面（８１ａ、８２ａ、８３ａ、８４ａ）と、前記導光板（８０）の内周面（８０ｃ）に向けて尖る頂部（８１ｂ、８２ｂ、８３ｂ、８４ｂ）とを有する形状に形成されるとともに、
前記凹溝（８１〜８４）は、前記頂部（８１ｂ〜８４ｂ）が前記目盛り板（４０）の周囲を囲う環状となるように形成されていることを特徴とする車両用指針計器。
【請求項２】
前記頂部（８１ｂ〜８４ｂ）は、乗員の視線方向に複数並べて配置されるとともに、
当該複数の頂部（８１ｂ〜８４ｂ）は、前記指針（５０）の回動径方向に並べて配置されていることを特徴とする請求項１に記載の車両用指針計器。
【請求項３】
前記光源（７０）に、少なくとも励起波長域の光を出射する光源を採用し、
前記導光板（８０）は、前記入射光の一部を前記第１反射面（８１ａ〜８４ａ）に向けて反射するとともに、前記入射光の一部により励起されて蛍光発光する第２反射面（８０ａ）を有しており、
前記目盛り板（４０）および前記指針（５０）のうち少なくとも一方には、前記第１反射面（８１ａ〜８４ａ）にて反射された励起波長域の光により励起されて蛍光発光する蛍光部（４１、４２、５１ａ）が備えられていることを特徴とする請求項１または２に記載の車両用指針計器。
【請求項４】
前記第２反射面（８０ａ）は、蛍光体が混入した白色顔料による印刷層（８０ｐ）を有していることを特徴とする請求項３に記載の車両用指針計器。
【発明の詳細な説明】
【０００１】
【発明の属する技術分野】
本発明は、回動して目盛り部を指し示す指針を備えた、車両用指針計器に関するものである。
【０００２】
【従来の技術】
従来、この種の車両用指針計器に関し、目盛り部を有する目盛り板と、目盛り板の表面に沿って回動して目盛り部を指し示す指針とを備え、当該目盛り板および指針を表面側から直接照明するものが知られている（例えば、特許文献１参照）。
【０００３】
【特許文献１】
特開２００１−２５３２９４号公報
【０００４】
【発明が解決しようとする課題】
しかしながら、上記従来の指針計器では、単に、目盛り板および指針を直接照明するだけで、目盛り板および指針からなる視認部分が平面的なものとなるため、見栄えの斬新さに欠ける。
【０００５】
本発明は上記点に鑑みて、斬新な見栄えの車両用指針計器を新規に提供することを目的とする。
【０００６】
【課題を解決するための手段】
上記目的を達成するため、請求項１に記載の発明では、目盛り部（４１）を有する目盛り板（４０）と、回動して目盛り部（４１）を指し示す指針（５０）と、目盛り板（４０）および指針（５０）を表面側から直接照明する光源（７０）と、目盛り板（４０）の表面側に配置され、目盛り板（４０）の周囲を囲う導光板（８０）とを備え、
導光板（８０）の外周面（８０ｂ）には凹溝（８１〜８４）が形成され、凹溝（８１〜８４）は、光源（７０）から導光板（８０）内部に入射した入射光を目盛り板（４０）および指針（５０）に向けて反射する第１反射面（８１ａ〜８４ａ）と、導光板（８０）の内周面（８０ｃ）に向けて尖る頂部（８１ｂ〜８４ｂ）とを有する形状に形成されるとともに、凹溝（８１〜８４）は、頂部（８１ｂ〜８４ｂ）が目盛り板（４０）の周囲を囲う環状となるように形成されていることを特徴とする。
【０００７】
これにより、第１反射面（８１ａ〜８４ａ）にて反射した光により、目盛り板（４０）および指針（５０）が直接照明されて車両乗員に視認されるとともに、入射光が頂部（８１ｂ〜８４ｂ）で乱反射することにより、頂部（８１ｂ〜８４ｂ）が直接照明されて車両乗員に視認されることとなる。従って、車両用指針計器のうち車両乗員に視認される部分は、目盛り板（４０）および指針（５０）に加えて頂部（８１ｂ〜８４ｂ）から構成されることとなる。
【０００８】
そして、図４の符号Ｋ３に例示されるように、頂部（８１ｂ〜８４ｂ）にて光って見える光の線Ｋ３は、目盛り板（４０）および指針（５０）の表面側にて、目盛り板（４０）の周囲に浮かんで見えるので、車両用指針計器の前記視認部分を、立体的で斬新な見栄えにできる。
【０００９】
しかも、上記請求項１に記載の発明によれば、１つの光源（７０）から出射した光により、目盛り板（４０）および指針（５０）の照明と頂部（８１ｂ〜８４ｂ）の照明との両照明を実現できるため、光源（７０）の数を低減できる。
【００１０】
請求項２に記載の発明では、頂部（８１ｂ〜８４ｂ）は、乗員の視線方向に複数並べて配置されるとともに、当該複数の頂部（８１ｂ〜８４ｂ）は、指針（５０）の回動径方向に並べて配置されていることを特徴とする。
【００１１】
これにより、前述の頂部（８１ｂ〜８４ｂ）にて光って見える光の線Ｋ３は、指針（５０）の回動径方向に並んで何重にも見え、しかも、複数の光の線Ｋ３は、それぞれ視線方向の奥行きが異なって見えるので、車両用指針計器の前記視認部分を、より一層立体的で斬新な見栄えにできる。
【００１２】
請求項３に記載の発明では、光源（７０）に、少なくとも励起波長域の光を出射する光源を採用し、導光板（８０）は、入射光の一部を第１反射面（８１ａ〜８４ａ）に向けて反射するとともに、入射光の一部により励起されて蛍光発光する第２反射面（８０ａ）を有しており、目盛り板（４０）および指針（５０）のうち少なくとも一方には、第１反射面（８１ａ〜８４ａ）にて反射された励起波長域の光により励起されて蛍光発光する蛍光部（４１、４２、５１ａ）が備えられていることを特徴とする。
【００１３】
これにより、第２反射面（８０ａ）にて蛍光発光した光のうち、第１反射面（８１ａ〜８４ａ）に向かう光により目盛り板（４０）および指針（５０）が直接照明され、頂部（８１ｂ〜８４ｂ）に向かう光により頂部（８１ｂ〜８４ｂ）が直接照明される。また、第２反射面（８０ａ）にて反射された励起波長域の光は第１反射面（８１ａ〜８４ａ）にて蛍光部（４１、４２、５１ａ）に向けて反射され、当該反射された光により蛍光部（４１、４２、５１ａ）が蛍光発光することとなる。従って、目盛り板（４０）、指針（５０）および頂部（８１ｂ〜８４ｂ）から構成される視認部分に、蛍光部（４１、４２、５１ａ）が加わるので、当該視認部分をより一層斬新な見栄えにできる。
【００１４】
しかも、上記請求項３に記載の発明によれば、１つの光源（７０）から出射した光により、目盛り板（４０）、指針（５０）および頂部（８１ｂ〜８４ｂ）の直接照明と、蛍光部（４１、４２、５１ａ）の蛍光発光とを実現できるため、光源（７０）の数を低減できる。
【００１５】
請求項４に記載の発明では、第２反射面（８０ａ）は、蛍光体が混入した白色顔料による印刷層（８０ｐ）を有していることを特徴とする。
【００１６】
これにより、入射光の一部を第１反射面（８１ａ〜８４ａ）に向けて反射するとともに、入射光の一部により励起されて蛍光発光するといった第２反射面（８０ａ）を、容易に形成できる。
【００１７】
なお、上記各手段の括弧内の符号は、後述する実施形態に記載の具体的手段との対応関係を示す一例である。
【００１８】
【発明の実施の形態】
以下、本発明の一実施形態を図に基づいて説明する。
【００１９】
図１は本実施形態に係る車両用指針計器の正面図、図２は図１の断面図であり、当該計器は、車室内に設けたインストルメントパネル（図示しない）に、スピードメータとして取り付けられている。
【００２０】
上記スピードメータは、ケーシング１０、見返し板２０及びフロントパネル３０からなるハウジングを備え、当該ハウジング内には、目盛り板４０、指針５０、回動内機６０、光源７０および導光板８０等が収納されている。なお、図１ではフロントパネル３０の図示を省略している。
【００２１】
見返し板２０は、乗員の視線方向Ｓ１（図２の左右方向）に延びる板状部材を環状に形成してなり、その底壁２１にて、ケーシング１０の開口部１１に組み付けられている。そして、目盛り板４０の視認範囲を仕切って図１に示す輪郭４０Ｒを形作るものである。本実施形態では図１に示すように輪郭４０Ｒが円形となるように構成されている。また、フロントパネル３０は、見返し板２０の環状立ち壁部２２の開口部２０ａに嵌着されている。
【００２２】
なお、ハウジング１０、２０、３０の材質は合成樹脂製である。見返し板２０には遮光性を有する合成樹脂が用いられ、フロントパネル３０には、外部からの光を遮断して内部からの光を透過させるスモーク調の合成樹脂が用いられている。
【００２３】
目盛り板４０は、指針５０に指し示される目盛り部４１と、文字部４２と、これら目盛り部４１および文字部４２の背景を構成する背景部４３とを有している。そして、ケーシング１０の開口部１１内にて、見返し板２０の底壁２１の開口部２１ａにその裏面側から装着されている。また、目盛り板４０は遮光性の合成樹脂にて形成されており、表面側から直接照明されるようになっている。当該照明に関しては後に詳述する。
【００２４】
指針５０は、目盛り板４０の表面に沿って回動して目盛り部４１を指し示す発光指針部５１と、当該発光指針部５１を支持するボス部５２とから構成されている。発光指針部５１およびボス部５２は合成樹脂製である。ボス部５２には、回動内機６０の回転軸６１が圧入されるようになっており、回動内機６０の駆動力が回転軸６１からボス部５２に伝達されて、指針５０が回動するようになっている。
【００２５】
光源７０は、近紫外線の光（励起波長域の光）を出射するものであり、本実施形態では発光ダイオードが採用されている。そして、光源７０は複数配置されており、これらの光源７０は、光源７０の発光面７０ａが目盛り板４０の板面に対して垂直となるように配置されている。また、これらの光源７０は、見返し板２０のうち開口部２０ａ近傍部分に配置されている。
【００２６】
なお、図２中の符号７１は見返し板２０に組み付けられた回路基板を示しており、光源７０は回路基板７１に実装されている。そして、回路基板７１および光源７０は、環状立ち壁部２２に形成されて当該壁部２２を外方に拡大する拡大部２２ａ内に収納されている。
【００２７】
導光板８０は、目盛り板４０の表面側に配置された板状の部材であり、目盛り部４１の周囲を囲う環状に形成されている。具体的には、見返し板２０の環状立ち壁部２２の内面に沿って延びる円筒形状に形成されている。なお、導光板８０の外周面８０ｂに光源７０が対向するような位置関係となる。従って、光源７０から出射した光は導光板８０の外周面８０ｂ側から板厚方向に入射されることとなる。
【００２８】
導光板８０は、光源７０から板厚方向に入射した入射光の一部を、導光板８０の長手方向（図２の左右方向）のうち目盛り板４０の側に向けて反射する、第２反射面８０ａを備えている。具体的には、導光板８０の両端面のうち目盛り板４０と反対側に位置する端面８０ａを傾斜状に形成し、当該傾斜した端面８０ａにより第２反射面を構成する。従って、第２反射面８０ａは環状に形成されることとなる。
【００２９】
また、第２反射面８０ａには、蛍光体が混入した白色顔料による印刷が施されて、印刷層８０ｐが設けられている。これにより、第２反射面８０ａに入射した光の一部により、印刷層８０ｐの蛍光体が励起されて可視光を蛍光発光する。従って、第２反射面８０ａからは、上述のように反射する近紫外線（図２中の矢印Ｋ１参照）の他に、蛍光発光による可視光が導光板８０の長手方向のうち目盛り板４０の側に向けて出射される。
【００３０】
上記蛍光体の具体例としては、周知の蛍光増白体が挙げられ、本実施形態では、青色の光を蛍光発光する蛍光体が採用されている。また、印刷層８０ｐに白色顔料が採用してあるため、印刷層８０ｐは、蛍光発光する機能の他に、光源７０から出射した近紫外線光の一部を反射する機能をも備えている。
【００３１】
また、導光板８０の外周面８０ｂには、当該導光板８０の周方向に環状に延びる凹溝８１、８２、８３、８４が形成されている。この凹溝８１〜８４は、導光板８０の長手方向に複数本並んで配置されている。
【００３２】
そして、凹溝８１〜８４は、図２に示す鋸歯状に形成されている。具体的には、矢印Ｋ２に示すように第２反射面８０ａにて反射した近紫外線光を目盛り板４０および指針５０に向けて反射する、第１反射面８１ａ、８２ａ、８３ａ、８４ａと、導光板８０の内周面８０ｃに向けて尖る頂部８１ｂ、８２ｂ、８３ｂ、８４ｂとを有する形状に形成されている。
【００３３】
図３は、導光板８０単体を視線方向Ｓ１から見た正面図であり、図４は、頂部８１ｂ〜８４ｂどうしの位置関係を示す斜視図である。これらの図３、図４および図２に示すように、複数の頂部８１ｂ〜８４ｂは、乗員の視線方向Ｓ１に複数並べて配置されるとともに、指針５０の回動径方向Ｄ１に並べて配置されている。
【００３４】
そして、導光板８０の第１反射面８１ａ〜８４ａにて蛍光発光した可視光が、頂部８１ｂ〜８４ｂにて乱反射することにより、頂部８１ｂ〜８４ｂが直接照明されて車両乗員に視認されることとなる。本実施形態では第１反射面８１ａ〜８４ａにて青色に蛍光発光するため、頂部８１ｂ〜８４ｂが青色に光って見えることとなる。
【００３５】
ここで、目盛り板４０の目盛り部４１および文字部４２には、近紫外線光により励起されて蛍光発光する蛍光体が塗布されている。そして、導光板８０の第１反射面８１ａ〜８４ａにて反射した近紫外線光が目盛り板４０に照射されると、目盛り部４１および文字部４２の蛍光体が励起されて可視光を蛍光発光する。
【００３６】
また、発光指針部５１の表面には、近紫外線光により励起されて蛍光発光する蛍光体５１ａが塗布されている。そして、導光板８０の第１反射面８１ａ〜８４ａにて反射した近紫外線光が発光指針部５１に照射されると、蛍光体５１ａは励起されて、発光指針部５１は可視光を蛍光発光する。
【００３７】
なお、目盛り部４１、文字部４２および発光指針部５１が、上記特許請求の範囲に記載の蛍光部に相当する。なお、図２では文字部４２の図示を省略しているが、図１および図２中の網点で示す部分４１、４２、５１ａが蛍光部として蛍光発光する。
【００３８】
以上により、本実施形態によれば、スピードメータのうち光源７０によって車両乗員に視認される部分は、目盛り部４１、文字部４２および発光指針部５１の蛍光発光に加えて、直接照明により青色に光って見える頂部８１ｂ〜８４ｂから構成されることとなる。
【００３９】
そして、頂部８１ｂ〜８４ｂにて光って見える光の線Ｋ３（図４参照）が、目盛り板４０および指針５０の表面側にて目盛り板４０の周囲に浮かんで見える。しかも、複数の光の線Ｋ３は、指針５０の回動径方向Ｄ１に並んで何重にも見えるとともに、視線方向Ｓ１の奥行きが異なって見える。すなわち、図４に示すように、各頂部８１ｂ〜８４ｂは年輪のように、しかも、立体的に見えることとなる。以上により、スピードメータの前記視認部分を、立体的で斬新な見栄えにできる。
【００４０】
また、１つの光源７０から出射した光により、目盛り板４０および指針５０の照明と頂部８１ｂ〜８４ｂの照明との両照明を実現できるため、光源７０の数を低減できる。
【００４１】
なお、本実施形態では図２に示すように、各頂部８１ｂ〜８４ｂは、見返し板２０の開口部２０ａよりも周方向外方に位置し、見返し板２０の背面に隠れて配置されている。従って、スピードメータを真正面から見て視線方向を矢印Ｓ１に示す方向とした場合には、各頂部８１ｂ〜８４ｂの全体を見ることはできず、視線方向を導光板８０の長手方向に対して傾けて、矢印Ｓ２に示す方向とした場合に、環状に延びる頂部８１ｂ〜８４ｂの一部分が立体的な年輪のように見えることとなる。
【００４２】
因みに、本発明の実施にあたり、各頂部８１ｂ〜８４ｂを見返し板２０の背面に隠れて配置することを廃止してもよいことは勿論であり、この場合には図１の点線Ｋ３に示すように、頂部８１ｂ〜８４ｂ全体が複数本同時に、目盛り板４０の周囲を囲う環状に見えることとなる。
【００４３】
（他の実施形態）
上記実施形態では、第２反射面８０ａに印刷層８０ｐが設けられているが、本発明の実施にあたり、印刷層８０ｐを廃止してもよい。この場合には、光源７０から出射した光のうち可視光（例えば紫色）により、頂部８１ｂ〜８４ｂは光って視認される。
【００４４】
また、上記実施形態では、近紫外線を主に出射する光源７０を採用していたが、本発明の実施にあたり、可視光（例えば青色）を主に出射する光源７０を採用し、目盛り部４１、文字部４２および発光指針部５１からなる蛍光部を廃止するようにしてもよい。
【００４５】
この場合には、目盛り部４１、文字部４２および発光指針部５１は、光源７０から出射して第１反射面８１ａ〜８４ａにて反射した可視光により直接照明される。また、頂部８１ｂ〜８４ｂは、光源７０から出射して第２反射面８０ａにて反射した可視光により直接照明される。
【００４６】
また、本発明の導光板８０は目盛り板４０の周囲を囲う形状であるものの、目盛り板４０の周囲を完全に囲う形状に限定されるものではなく、目盛り板４０周囲の一部分のみに沿って延びる形状であってもよい。例えば、目盛り板４０周囲のうち目盛り部４１に対向する部分のみに沿って延びる円弧形状であってもよい。
【図面の簡単な説明】
【図１】本発明の一実施形態に係る車両用指針計器の正面図である。
【図２】図１の断面図である。
【図３】図２に記載された導光板８０単体を視線方向Ｓ１から見た正面図である。
【図４】図１ないし図３に記載された頂部８１ｂ〜８４ｂどうしの位置関係を示す斜視図である。
【符号の説明】
４０…目盛り板、４１…目盛り部、５０…指針、７０…光源、８０…導光板、
８０ｂ…導光板の外周面、８０ｃ…導光板の内周面、
８１、８２、８３、８４…凹溝、
８１ａ、８２ａ、８３ａ、８４ａ…第１反射面、
８１ｂ、８２ｂ、８３ｂ、８４ｂ…頂部。
【図１】
2005009875.tif 000003
【図２】
2005009875.tif 000004
【図３】
2005009875.tif 000005
【図４】
2005009875.tif 000006